(57)【要約】  読取ヘッドとダミーヘッドとの間隔が狭い差動式のスキミング用磁気ヘッドが使用されても、差動式のスキミング用磁気ヘッドによるスキミングを阻止することが可能なカードリーダを提供する。このカードリーダでは、妨害磁界発生手段１０は、略手前側を向くように配置される第１端面１１ａおよび第２端面１１ｂを有するコア１１を備えており、磁力線ＭＬ１の向きが第１端面１１ａから第２端面１１ｂに向かう方向と第２端面１１ｂから第１端面１１ａに向かう方向とに変動する妨害磁界を発生させている。妨害磁界の磁力線ＭＬ１の、第１端面１１ａおよび第２端面１１ｂのいずれか一方から出ていく方向、および、第１端面１１ａおよび第２端面１１ｂのいずれか他方に入ってくる方向は、カード２の通過方向に略平行になっている。また、磁力線ＭＬ１は、カード２の幅方向において、磁気ストライプ２ａが通過する位置を横切っている。
2015133567.tif 000002
【特許請求の範囲】
【請求項１】
磁気ストライプを有するカードが挿入されるカード挿入口と、前記カード挿入口から挿入された前記カードが通過するカード通過路と、前記磁気ストライプに記録された磁気データの不正な読取りを妨害するための磁界を発生させる妨害磁界発生手段とを備え、
前記妨害磁界発生手段は、磁性材料で形成される少なくとも１個のコアを有するコア部と、前記コアに巻回される妨害磁界発生用コイルとを備え、
前記カードの通過方向の一方側である前記カード挿入口への前記カードの挿入方向側を奥側とし、前記カードの通過方向の他方側である前記カード挿入口からの前記カードの排出方向を手前側とすると、
前記コア部は、略手前側を向くように配置される第１端面および第２端面を備え、
前記妨害磁界発生手段は、磁力線の向きが前記第１端面から前記第２端面に向かう方向と前記第２端面から前記第１端面に向かう方向とに変動する妨害磁界を発生させ、
前記妨害磁界の磁力線の、前記第１端面および前記第２端面のいずれか一方から出ていく方向、および、前記第１端面および前記第２端面のいずれか他方に入ってくる方向は、前記カードの通過方向に略平行になっており、
前記妨害磁界の磁力線は、前記カードの通過方向と前記カードの厚さ方向とに直交する前記カードの幅方向において、前記カードの挿入時に前記磁気ストライプが通過する位置を横切ることを特徴とするカードリーダ。
【請求項２】
前記第１端面と前記第２端面とが共通の１個の前記コアに形成されていることを特徴とする請求項１記載のカードリーダ。
【請求項３】
前記コア部は、略手前側を向くように配置されるとともに前記カードの幅方向において前記第１端面および前記第２端面とずれた位置に配置される第３端面および第４端面を備え、
前記妨害磁界発生手段は、磁力線の向きが前記第３端面から前記第４端面に向かう方向と前記第４端面から前記第３端面に向かう方向とに変動する第２の妨害磁界を発生させ、
前記第２の妨害磁界の磁力線の、前記第３端面および前記第４端面のいずれか一方から出ていく方向、および、前記第３端面および前記第４端面のいずれか他方に入ってくる方向が前記カードの通過方向に略平行になっており、
前記第１端面、前記第２端面、前記第３端面および前記第４端面は、前記カード挿入口よりも手前側で前記妨害磁界と前記第２の妨害磁界とが重なるように配置されていることを特徴とする請求項１または２記載のカードリーダ。
【請求項４】
前記コア部は、前記コアとして、前記第１端面と前記第２端面とが形成される第１コアと、前記第３端面と前記第４端面とが形成される第２コアとを備え、
前記第１コアと前記第２コアとは、前記カードの厚さ方向において、前記カード通過路を挟むように配置されていることを特徴とする請求項３記載のカードリーダ。
【請求項５】
前記第１端面と前記第２端面と前記第３端面と前記第４端面とが共通の１個の前記コアに形成されていることを特徴とする請求項３記載のカードリーダ。
【請求項６】
前記妨害磁界では、磁力線の向きが前記第１端面から前記第２端面に向かう方向と前記第２端面から前記第１端面に向かう方向とに周期的に変動し、
前記第２の妨害磁界では、磁力線の向きが前記第３端面から前記第４端面に向かう方向と前記第４端面から前記第３端面に向かう方向とに周期的に変動することを特徴とする請求項３から５のいずれかに記載のカードリーダ。
【請求項７】
前記カード挿入口が形成されるとともに中空状に形成されるカード挿入部を備え、
前記コア部および前記妨害磁界発生用コイルは、前記カード挿入部の内部に配置されていることを特徴とする請求項１から６のいずれかに記載のカードリーダ。
【請求項８】
前記妨害磁界発生手段は、前記コアに巻回され前記妨害磁界の変化を検出する検出用コイルを備えることを特徴とする請求項１から７のいずれかに記載のカードリーダ。
【請求項９】
前記妨害磁界発生手段は、前記コアに巻回され前記妨害磁界の変化を検出する検出用コイルと、前記コアに巻回され前記第２の妨害磁界の変化を検出する第２の検出用コイルとを備えることを特徴とする請求項３から６のいずれかに記載のカードリーダ。
【請求項１０】
前記妨害磁界では、磁力線の向きが前記第１端面から前記第２端面に向かう方向と前記第２端面から前記第１端面に向かう方向とに周期的に変動し、
前記第２の妨害磁界では、磁力線の向きが前記第３端面から前記第４端面に向かう方向と前記第４端面から前記第３端面に向かう方向とに周期的に変動し、
前記妨害磁界の磁力線の向きの変動周期と前記第２の妨害磁界の磁力線の向きの変動周期とが等しくなっており、
前記妨害磁界の位相と前記第２の妨害磁界の位相とが同じになっているか、または、前記妨害磁界の位相と前記第２の妨害磁界の位相とが逆になっており、
前記妨害磁界の強度と前記第２の妨害磁界の強度とが等しくなっていることを特徴とする請求項９記載のカードリーダ。
【発明の詳細な説明】
【技術分野】
【０００１】
本発明は、カードに記録された磁気データの読取りやカードへの磁気データの記録を行うカードリーダに関する。
【背景技術】
【０００２】
従来、カードに記録された磁気データの読取りやカードへの磁気データの記録を行うカードリーダが広く利用されている。カードリーダが利用される金融機関等の業界では、従来、犯罪者がカードリーダのカード挿入部に磁気ヘッドを取り付けて、この磁気ヘッドでカードの磁気データを不正に取得するいわゆるスキミングが大きな問題となっている。そこで、スキミング用の磁気ヘッド（以下、「スキミング用磁気ヘッド」とする。）での磁気データの読取りを阻止するための妨害磁界を発生させるカードリーダが提案されている（たとえば、特許文献１参照）。【０００３】
また、従来、スキミング用磁気ヘッドとして、電気的特性が略同じである読取ヘッドとダミーヘッドとが１つのケース体に収容された差動式のスキミング用磁気ヘッドが知られている。読取ヘッドは、カードの磁気ストライプに当接して磁気データを読み取るためのヘッドである。ダミーヘッドは、カードの幅方向において読取ヘッドに隣接配置されるとともに、磁気ストライプに当接しない位置に配置されている。この差動式のスキミング用磁気ヘッドによってカードの磁気データを読み取ると、読取ヘッドの出力信号は、磁気データに応じた信号と外部磁界に応じた信号とが重畳された信号となり、ダミーヘッドの出力信号は外部磁界に応じた信号となる。そのため、差動式のスキミング用磁気ヘッドによって磁気データが読み取られる場合には、特許文献１に記載のカードリーダのように妨害磁界を発生させても、読取ヘッドの出力信号とダミーヘッドの出力信号との差分を取ることで、妨害磁界の影響を受けていない磁気データの読取信号を得ることが可能になり、スキミングを阻止することができない。【０００４】
そこで、差動式のスキミング用磁気ヘッドによるスキミングを阻止するためのカードリーダが提案されている（たとえば、特許文献２参照）。特許文献２に記載のカードリーダは、妨害磁界を放射する２個の放射源を有する妨害磁界発生部を備えている。２個の放射源は、カードの搬送路を上下方向で挟むように配置されており、一方の放射源と読取ヘッドとの距離と、一方の放射源とダミーヘッドとの距離とが異なるとともに、他方の放射源と読取ヘッドとの距離と、他方の放射源とダミーヘッドとの距離とが異なっている。【０００５】
そのため、特許文献２に記載のカードリーダでは、一方の放射源からの妨害磁界に起因する読取ヘッドの出力信号の振幅（強度）とダミーヘッドの出力信号の振幅とに差異が生じるとともに、他方の放射源からの妨害磁界に起因する読取ヘッドの出力信号の振幅とダミーヘッドの出力信号の振幅とに差異が生じる。したがって、このカードリーダでは、読取ヘッドの出力信号とダミーヘッドの出力信号との差分を取っても、妨害磁界の影響を受けていない磁気データの読取信号を得ることができなくなり、その結果、差動式のスキミング用磁気ヘッドによるスキミングを阻止することが可能になる。
【先行技術文献】
【特許文献】
【０００６】
【特許文献１】特開２００１−６７５２４号公報
【特許文献２】特開２００７−１６４５３３号公報
【発明の概要】
【発明が解決しようとする課題】
【０００７】
特許文献２に記載のカードリーダでは、読取ヘッドとダミーヘッドとの間隔が広い場合には、上述のように、一方の放射源からの妨害磁界に起因する読取ヘッドの出力信号の振幅とダミーヘッドの出力信号の振幅とに差異が生じるとともに、他方の放射源からの妨害磁界に起因する読取ヘッドの出力信号の振幅とダミーヘッドの出力信号の振幅とに差異が生じるため、差動式のスキミング用磁気ヘッドによるスキミングを阻止することが可能になる。【０００８】
しかしながら、特許文献２に記載のカードリーダでは、読取ヘッドとダミーヘッドとの間隔が狭くなると、一方の放射源からの妨害磁界に起因する読取ヘッドの出力信号の振幅とダミーヘッドの出力信号の振幅との差異が非常に小さくなり、他方の放射源からの妨害磁界に起因する読取ヘッドの出力信号の振幅とダミーヘッドの出力信号の振幅との差異が非常に小さくなる。そのため、このカードリーダの場合、読取ヘッドとダミーヘッドとの間隔が狭い差動式のスキミング用磁気ヘッドが使用されると、読取ヘッドの出力信号とダミーヘッドの出力信号との差分を取ることで、妨害磁界の影響を受けていない磁気データの読取信号を得ることが可能になり、スキミングを阻止することができない。【０００９】
そこで、本発明の課題は、読取ヘッドとダミーヘッドとの間隔が狭い差動式のスキミング用磁気ヘッドが使用されても、差動式のスキミング用磁気ヘッドによるスキミングを阻止することが可能なカードリーダを提供することにある。
【課題を解決するための手段】
【００１０】
上記の課題を解決するため、本発明のカードリーダは、磁気ストライプを有するカードが挿入されるカード挿入口と、カード挿入口から挿入されたカードが通過するカード通過路と、磁気ストライプに記録された磁気データの不正な読取りを妨害するための磁界を発生させる妨害磁界発生手段とを備え、妨害磁界発生手段は、磁性材料で形成される少なくとも１個のコアを有するコア部と、コアに巻回される妨害磁界発生用コイルとを備え、カードの通過方向の一方側であるカード挿入口へのカードの挿入方向側を奥側とし、カードの通過方向の他方側であるカード挿入口からのカードの排出方向を手前側とすると、コア部は、略手前側を向くように配置される第１端面および第２端面を備え、妨害磁界発生手段は、磁力線の向きが第１端面から第２端面に向かう方向と第２端面から第１端面に向かう方向とに変動する妨害磁界を発生させ、妨害磁界の磁力線の、第１端面および第２端面のいずれか一方から出ていく方向、および、第１端面および第２端面のいずれか他方に入ってくる方向は、カードの通過方向に略平行になっており、妨害磁界の磁力線は、カードの通過方向とカードの厚さ方向とに直交するカードの幅方向において、カードの挿入時に磁気ストライプが通過する位置を横切ることを特徴とする。【００１１】
本発明のカードリーダでは、妨害磁界発生手段は、略手前側を向くように配置される第１端面および第２端面を有するコア部を備えており、磁力線の向きが第１端面から第２端面に向かう方向と第２端面から第１端面に向かう方向とに変動する妨害磁界を発生させている。また、本発明では、妨害磁界の磁力線は、カードの幅方向において、カードの挿入時に磁気ストライプが通過する位置を横切っている。そのため、本発明では、磁気ストライプが通過する位置に配置される差動式のスキミング用磁気ヘッドの読取ヘッドとダミーヘッドとの間隔が狭くても、読取ヘッドが配置される箇所での妨害磁界の強度とダミーヘッドが配置される箇所での妨害磁界の強度との差異を大きくすることが可能になり、妨害磁界に起因する読取ヘッドの出力信号の振幅と妨害磁界に起因するダミーヘッドの出力信号の振幅とに大きな差異を生じさせることが可能になる。したがって、本発明では、読取ヘッドとダミーヘッドとの間隔が狭い差動式のスキミング用磁気ヘッドが使用されても、読取ヘッドの出力信号とダミーヘッドの出力信号との差分から妨害磁界の影響を受けていない磁気データの読取信号を取得することが困難になり、その結果、差動式のスキミング用磁気ヘッドによるスキミングを阻止することが可能になる。【００１２】
なお、コア部の第１端面と第２端面とのそれぞれがカードの幅方向における略外側を向いている場合であっても、磁気ストライプが通過する位置をカードの幅方向において磁力線が横切るように妨害磁界を発生させることは可能であるが、この場合には、スキミング用磁気ヘッドが配置される位置での妨害磁界の磁束密度が低くなり、スキミング用磁気ヘッドに対して効果的に妨害磁界の影響を与えることは困難である。これに対して、本発明では、第１端面および第２端面が略手前側を向いているため、スキミング用磁気ヘッドが配置される位置での妨害磁界の磁束密度を高めることが可能になり、スキミング用磁気ヘッドに対して効果的に妨害磁界の影響を与えることが可能になる。【００１３】
本発明において、第１端面と第２端面とが共通の１個のコアに形成されていることが好ましい。このように構成すると、妨害磁界発生用コイルが発生させる磁束の漏れを抑制することが可能になる。したがって、スキミング用磁気ヘッドに対して効果的に妨害磁界の影響を与えることが可能になる。【００１４】
本発明において、コア部は、略手前側を向くように配置されるとともにカードの幅方向において第１端面および第２端面とずれた位置に配置される第３端面および第４端面を備え、妨害磁界発生手段は、磁力線の向きが第３端面から第４端面に向かう方向と第４端面から第３端面に向かう方向とに変動する第２の妨害磁界を発生させ、第２の妨害磁界の磁力線の、第３端面および第４端面のいずれか一方から出ていく方向、および、第３端面および第４端面のいずれか他方に入ってくる方向がカードの通過方向に略平行になっており、第１端面、第２端面、第３端面および第４端面は、カード挿入口よりも手前側で妨害磁界と第２の妨害磁界とが重なるように配置されていることが好ましい。【００１５】
このように構成すると、読取ヘッドが配置される箇所での第２の妨害磁界の強度とダミーヘッドが配置される箇所での第２の妨害磁界の強度との差異を比較的大きくすることが可能になり、第２の妨害磁界に起因する読取ヘッドの出力信号の振幅と第２の妨害磁界に起因するダミーヘッドの出力信号の振幅とに比較的大きな差異を生じさせることが可能になる。また、読取ヘッドの出力信号は、磁気データに応じた信号と妨害磁界に応じた信号と第２の妨害磁界に応じた信号とが重畳された信号になり、ダミーヘッドの出力信号は妨害磁界に応じた信号と第２の妨害磁界に応じた信号とが重畳された信号になるため、読取ヘッドの出力信号とダミーヘッドの出力信号との差分から妨害磁界および第２の妨害磁界の影響を受けていない磁気データの読取信号を取得することが一層困難になる。したがって、差動式のスキミング用磁気ヘッドによるスキミングを効果的に阻止することが可能になる。【００１６】
本発明において、コア部は、コアとして、第１端面と第２端面とが形成される第１コアと、第３端面と第４端面とが形成される第２コアとを備え、第１コアと第２コアとは、カードの厚さ方向において、カード通過路を挟むように配置されていることが好ましい。このように構成すると、第１コアおよび第２コアが、カードの厚さ方向におけるカード通過路の一方側に配置されている場合と比較して、第１コアとスキミング用磁気ヘッドとの距離、および、第２コアとスキミング用磁気ヘッドとの距離の両方の距離を近づけることが可能になる。したがって、スキミング用磁気ヘッドに対して効果的に妨害磁界および第２の妨害磁界の影響を与えることが可能になる。【００１７】
本発明において、第１端面と第２端面と第３端面と第４端面とが共通の１個のコアに形成されていても良い。この場合には、妨害磁界発生用コイルが発生させる磁束の漏れを抑制することが可能になり、その結果、スキミング用磁気ヘッドに対して効果的に妨害磁界および第２の妨害磁界の影響を与えることが可能になる。また、この場合には、妨害磁界発生手段の構成を簡素化することが可能になる。【００１８】
本発明において、たとえば、妨害磁界では、磁力線の向きが第１端面から第２端面に向かう方向と第２端面から第１端面に向かう方向とに周期的に変動し、第２の妨害磁界では、磁力線の向きが第３端面から第４端面に向かう方向と第４端面から第３端面に向かう方向とに周期的に変動する。【００１９】
本発明において、カードリーダは、たとえば、カード挿入口が形成されるとともに中空状に形成されるカード挿入部を備え、コア部および妨害磁界発生用コイルは、カード挿入部の内部に配置されている。【００２０】
本発明において、妨害磁界発生手段は、コアに巻回され妨害磁界の変化を検出する検出用コイルを備えることが好ましい。カードリーダの前方にスキミング用磁気ヘッドが設置されると、妨害磁界が変化するため、このように構成すると、検出用コイルの検出結果に基づいて、スキミング用磁気ヘッドが設置されたのか否かを検出することが可能になる。また、このように構成すると、妨害磁界発生用コイルが巻回されるコアに検出用コイルが巻回されているため、妨害磁界発生用コイルが巻回されるコアに加えて、検出用コイルが巻回されるコアが別途設けられている場合と比較して、カードリーダを小型化することが可能になる。さらに、このように構成すると、検出用コイルを用いてスキミング用磁気ヘッドが設置されたのか否かを検出しているときにも妨害磁界を停止させる必要がないため、スキミングを効果的に阻止することが可能になる。【００２１】
本発明において、妨害磁界発生手段は、コアに巻回され妨害磁界の変化を検出する検出用コイルと、コアに巻回され第２の妨害磁界の変化を検出する第２の検出用コイルとを備えることが好ましい。カードリーダの前方にスキミング用磁気ヘッドが設置されると、妨害磁界や第２の妨害磁界が変化するため、このように構成すると、検出用コイルおよび第２の検出用コイルの検出結果に基づいて、スキミング用磁気ヘッドが設置されたのか否かを検出することが可能になる。また、このように構成すると、妨害磁界発生用コイルが巻回されるコアに検出用コイルおよび第２の検出用コイルが巻回されているため、妨害磁界発生用コイルが巻回されるコアに加えて、検出用コイルが巻回されるコアや第２の検出用コイルが巻回されるコアが別途設けられている場合と比較して、カードリーダを小型化することが可能になる。さらに、このように構成すると、検出用コイルおよび第２の検出用コイルを用いてスキミング用磁気ヘッドが設置されたのか否かを検出しているときにも妨害磁界を停止させる必要がないため、スキミングを効果的に阻止することが可能になる。【００２２】
本発明において、妨害磁界では、磁力線の向きが第１端面から第２端面に向かう方向と第２端面から第１端面に向かう方向とに周期的に変動し、第２の妨害磁界では、磁力線の向きが第３端面から第４端面に向かう方向と第４端面から第３端面に向かう方向とに周期的に変動し、妨害磁界の磁力線の向きの変動周期と第２の妨害磁界の磁力線の向きの変動周期とが等しくなっており、妨害磁界の位相と第２の妨害磁界の位相とが同じになっているか、または、妨害磁界の位相と第２の妨害磁界の位相とが逆になっており、妨害磁界の強度と第２の妨害磁界の強度とが等しくなっていることが好ましい。このように構成すると、検出用コイルの出力信号と第２の検出用コイルの出力信号との差分である差分信号として、一定周期で変動する正弦波状の差分信号を得ることが可能になる。また、妨害磁界発生手段の周囲温度が変動しても、スキミング用磁気ヘッドが設置されていないときの差分信号の振幅を一定にすることが可能になるとともに小さくすることが可能になる。したがって、スキミング用磁気ヘッドが設置されたのか否かを判別するための、差分信号の振幅の閾値を適切に設定することが可能になる。その結果、差分信号の振幅に基づいて、スキミング用磁気ヘッドが設置されたのか否かを精度良く検出することが可能になる。
【発明の効果】
【００２３】
以上のように、本発明のカードリーダでは、読取ヘッドとダミーヘッドとの間隔が狭い差動式のスキミング用磁気ヘッドが使用されても、差動式のスキミング用磁気ヘッドによるスキミングを阻止することが可能になる。
【図面の簡単な説明】
【００２４】
【図１】本発明の実施の形態にかかるカードリーダの前端側部分の構成を説明するための概略側面図である。
【図２】図１に示す妨害磁界発生手段の構成を説明するための概略平面図である。
【図３】図２に示す妨害磁界発生手段が発生させる妨害磁界の強度等を説明するための図である。
【図４】本発明の他の実施の形態にかかる妨害磁界発生手段の構成を説明するための概略平面図である。
【図５】図４に示す妨害磁界発生手段の構成を説明するための概略側面図である。
【図６】本発明の他の実施の形態にかかる妨害磁界発生手段の構成を説明するための概略平面図である。
【図７】本発明の他の実施の形態にかかる妨害磁界発生手段の構成を説明するための概略平面図である。
【図８】本発明の他の実施の形態にかかる妨害磁界発生手段の構成を説明するための概略平面図である。
【図９】図８に示す検出用コイルの出力信号を説明するための図であり、（Ａ）はカードリーダの前方にスキミング用磁気ヘッドが設置されていないときの検出用コイルの出力信号を示す図、（Ｂ）はカードリーダの前方にスキミング用磁気ヘッドが設置されたときの検出用コイルの出力信号を示す図である。
【図１０】本発明の他の実施の形態にかかる妨害磁界発生手段の構成を説明するための概略平面図である。
【図１１】図１０に示す検出用コイルの出力信号と第２の検出用コイルの出力信号との差分信号を説明するための図であり、（Ａ）はカードリーダの前方にスキミング用磁気ヘッドが設置されていないときの差分信号を示す図、（Ｂ）はカードリーダの前方にスキミング用磁気ヘッドが設置されたときの差分信号を示す図である。
【図１２】本発明の他の実施の形態にかかるコア部の構成を説明するための概略平面図である。
【発明を実施するための形態】
【００２５】
以下、図面を参照しながら、本発明の実施の形態を説明する。
【００２６】
（カードリーダの構成）
図１は、本発明の実施の形態にかかるカードリーダ１の前端側部分の構成を説明するための概略側面図である。図２は、図１に示す妨害磁界発生手段１０の構成を説明するための概略平面図である。図３は、図２に示す妨害磁界発生手段１０が発生させる妨害磁界の強度および方向性を説明するための図である。
【００２７】
本形態のカードリーダ１は、カード２に記録された磁気データの読取りやカード２への磁気データの記録を行うための装置であり、たとえば、ＡＴＭ等の所定の上位装置に搭載されて使用される。このカードリーダ１は、カード２が挿入されるカード挿入口３が形成されるカード挿入部４と、本体部５とを備えている。カードリーダ１の内部には、カード挿入口３から挿入されたカード２が通過するカード通過路６が形成されている。また、カードリーダ１は、カード２に記録された磁気データの読取りおよびカード２への磁気データの記録の少なくともいずれか一方を行う磁気ヘッド７と、カード２を搬送するための駆動ローラ８およびパッドローラ９と、カード２に記録された磁気データの不正な読取りを妨害するための磁界を発生させる妨害磁界発生手段１０とを備えている。
【００２８】
本形態では、図１に示すＸ方向でカード２が通過する。具体的には、Ｘ１方向にカード２が挿入され、Ｘ２方向にカード２が排出される。すなわち、Ｘ方向は、カード２の通過方向であり、Ｘ１方向は、カード２の通過方向の一方であるカード挿入口３へのカード２の挿入方向であり、Ｘ２方向は、カード２の通過方向の他方であるカード挿入口３からのカード２の排出方向である。また、Ｘ方向に直交する図１のＺ方向は、カードリーダ１に取り込まれたカード２の厚さ方向であり、Ｘ方向とＺ方向とに直交する図１のＹ方向は、カードリーダ１に取り込まれたカード２の幅方向である。以下の説明では、Ｘ方向を「前後方向」、Ｙ方向を「左右方向」、Ｚ方向を「上下方向」とする。また、Ｘ１方向側を「奥（後ろ）」側、Ｘ２方向側を「手前（前）」側、Ｙ１方向側を「右」側、Ｙ２方向側を「左」側、Ｚ１方向側を「上」側、Ｚ２方向側を「下」側とする。
【００２９】
カード２は、たとえば、厚さが０．７〜０．８ｍｍ程度の略長方形状の塩化ビニール製のカードである。このカード２の裏面には、磁気データが記録される磁気ストライプ２ａが形成されている。磁気ストライプ２ａは、略長方形状に形成されるカード２の長手方向に沿って形成されている。カード２は、その裏面が下側を向いた状態で、かつ、カード２の長手方向が前後方向と略一致した状態で、カードリーダ１に挿入されて、カードリーダ１内で搬送される。なお、カード２には、ＩＣチップが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００３０】
カード挿入部４は、本体部５の前端面に取り付けられている。また、カード挿入部４は、中空状に形成されている。磁気ヘッド７、駆動ローラ８およびパッドローラ９は、本体部５の内部に配置されている。磁気ヘッド７は、カード通過路（カード搬送路）６に下側から臨むように配置されている。具体的には、磁気ヘッド７は、そのギャップ部がカード通過路６に下側から臨むように配置されている。また、磁気ヘッド７は、左右方向において、カード２の磁気ストライプ２ａが通過する位置に配置されている。駆動ローラ８とパッドローラ９とは、上下方向でカード通過路６を挟むように配置されている。駆動ローラ８には、ベルトやプーリ等の動力伝達機構を介してモータが連結されている。パッドローラ９は、駆動ローラ８に向かって付勢されている。カード２は、駆動ローラ８とパッドローラ９との間に挟まれた状態で搬送される。
【００３１】
妨害磁界発生手段１０は、磁性材料で形成されるコア１１と、コア１１に巻回される妨害磁界発生用コイルとしての励磁用のコイル１２とを備えている。本形態では、１個のコア１１によってコア部１３が構成されている。コア１１およびコイル１２は、中空状に形成されるカード挿入部４の内部に配置されている。また、コア１１およびコイル１２は、カード通過路６の上側に配置されている。なお、コア１１およびコイル１２は、カード通過路６の下側に配置されても良い。
【００３２】
図２に示すように、コア１１は、略Ｕ形状に形成されている。コア１１の一端面１１ａおよび他端面１１ｂは、略手前側を向くように配置されている。本形態では、一端面１１ａおよび他端面１１ｂは、左右方向と上下方向とから構成されるＹＺ平面と略平行になっている。また、一端面１１ａと他端面１１ｂとは、略同一平面上に配置されている。また、一端面１１ａと他端面１１ｂとは、左右方向において、磁気ストライプ２ａが通過する位置を挟むように配置されている。すなわち、一端面１１ａは、左右方向において磁気ストライプ２ａが通過する位置よりも右側に配置され、他端面１１ｂは、左右方向において磁気ストライプ２ａが通過する位置よりも左側に配置されている。本形態の一端面１１ａは第１端面であり、他端面１１ｂは第２端面である。また、本形態では、第１端面である一端面１１ａと第２端面である他端面１１ｂとが共通の１個のコア１１に形成されている。なお、磁気ストライプ２ａが通過する位置が左右方向において一端面１１ａまたは他端面１１ｂのいずれか一方よりも一端面１１ａまたは他端面１１ｂのいずれか他方に近づいた位置となるように、コア１１が配置されていることが好ましい。本形態では、磁気ストライプ２ａが通過する位置が左右方向において他端面１１ｂよりも一端面１１ａに近づいた位置となるように、コア１１が配置されている
【００３３】
コイル１２は、ボビンを介してコア１１に巻回されている。このコイル１２は、コイル１２に電流を供給する交流電源回路に接続されている。コイル１２に交流電源が供給されると、磁力線ＭＬ１の向きが一端面１１ａおよび他端面１１ｂのいずれか一方から一端面１１ａおよび他端面１１ｂのいずれか他方へ向かう妨害磁界が発生する。すなわち、コイル１２に交流電源が供給されると、妨害磁界発生手段１０は、磁力線ＭＬ１の向きが一端面１１ａおよび他端面１１ｂのいずれか一方から一端面１１ａおよび他端面１１ｂのいずれか他方へ向かう妨害磁界を発生させる。具体的には、コイル１２に交流電源が供給されると、磁力線ＭＬ１の向きが一端面１１ａから他端面１１ｂに向かう方向と他端面１１ｂから一端面１１ａに向かう方向とに周期的に変動する妨害磁界（交流磁界）が発生する。
【００３４】
なお、コイル１２は、コイル１２が接続される直流電源と、この直流電源に対してコイル１２と並列に接続されるコンデンサとを備える駆動回路に接続されても良い。この場合には、駆動回路のコンデンサとコイル１２とによって共振回路が構成される。また、コイル１２は、直流電流を交流電流へ変換するインバータ等の回路を介して直流電源に接続されても良い。すなわち、直流電流を交流電流へ変換する所定の回路を介してコイル１２が直流電源に接続されることで、妨害磁界発生手段１０は、磁力線ＭＬ１の向きが一端面１１ａおよび他端面１１ｂのいずれか一方から一端面１１ａおよび他端面１１ｂのいずれか他方へ向かう妨害磁界を周期的に発生させても良い。
【００３５】
また、コイル１２に交流電源が接続される場合および直流電源が接続される場合のいずれの場合であっても、磁力線ＭＬ１の向きが一端面１１ａから他端面１１ｂに向かう方向と他端面１１ｂから一端面１１ａに向かう方向とに変動するのであれば、磁力線ＭＬ１の向きを変動させるタイミングは周期的でなくても良い。すなわち、磁力線ＭＬ１の向きが一端面１１ａから他端面１１ｂに向かう方向と他端面１１ｂから一端面１１ａに向かう方向とに変動するのであれば、磁力線ＭＬ１の向きを変動させるタイミングはランダムであっても良い。
【００３６】
図２に示すように、妨害磁界発生手段１０が発生させる妨害磁界の磁力線ＭＬ１の、一端面１１ａおよび他端面１１ｂのいずれか一方から出ていく方向、および、一端面１１ａおよび他端面１１ｂのいずれか他方に入ってくる方向は、前後方向に対して略平行になっている。また、磁力線ＭＬ１は、左右方向において、カード２の挿入時に磁気ストライプ２ａが通過する位置を横切っている。
【００３７】
したがって、磁気ストライプ２ａに当接して磁気ストライプ２ａに記録された磁気データを読み取るための読取ヘッド８１と、読取ヘッド８１の左側に隣接配置されるとともに磁気ストライプ２ａに当接しない位置に配置されるダミーヘッド８２とを有する差動式のスキミング用磁気ヘッド８０がカードリーダ１の前方に設置された場合（たとえば、所定の部材を介して、あるいは、直接、スキミング用磁気ヘッド８０がカード挿入部４の前端に取り付けられた場合）、左右方向における読取ヘッド８１とダミーヘッド８２との間隔が狭くても、読取ヘッド８１が配置される箇所での妨害磁界の強度とダミーヘッド８２が配置される箇所での妨害磁界の強度との差異が大きくなる。そのため、たとえば、妨害磁界に起因する読取ヘッド８１の出力信号は、図３（Ｄ）のように変動し、妨害磁界に起因するダミーヘッド８２の出力信号は、図３（Ｃ）のように変動する。すなわち、妨害磁界に起因する読取ヘッド８１の出力信号の振幅と妨害磁界に起因するダミーヘッド８２の出力信号の振幅とに大きな差異が生じる。
【００３８】
なお、たとえば、図２のＦ部に、読取ヘッド８１またはダミーヘッド８２が配置された場合、妨害磁界に起因する読取ヘッド８１またはダミーヘッド８２の出力信号は、図３（Ａ）のように変動し、図２のＧ部に、読取ヘッド８１またはダミーヘッド８２が配置された場合、妨害磁界に起因する読取ヘッド８１またはダミーヘッド８２の出力信号は、図３（Ｂ）のように変動し、図２のＨ部に、読取ヘッド８１またはダミーヘッド８２が配置された場合、妨害磁界に起因する読取ヘッド８１またはダミーヘッド８２の出力信号は、図３（Ｅ）のように変動する。すなわち、左右方向における読取ヘッド８１またはダミーヘッド８２の配置位置がわずかに変わっても、妨害磁界の強度が大きく変動して、読取ヘッド８１またはダミーヘッド８２の出力信号の振幅が大きく変動する。
【００３９】
以上のように構成されたカードリーダ１では、カード挿入口３にカード２が挿入されてカードリーダ１の内部にカード２が取り込まれる際、および、カード挿入口３からカード２が排出される際に妨害磁界発生手段１０が妨害磁界を発生させる。すなわち、磁気ヘッド７による磁気データの読取時や記録時には、妨害磁界発生手段１０は妨害磁界を発生させていない。また、カード挿入口３にカード２が挿入されてカードリーダ１の内部にカード２が取り込まれる際には、たとえば、カード挿入口３に挿入されたカード２の全体がカード挿入部４の内部に取り込まれるまで、妨害磁界発生手段１０が妨害磁界を発生させる。また、カード挿入口３からカード２が排出される際には、たとえば、ユーザによるカード２の引抜きが可能となる位置まで搬送されたカード２がユーザによって引き抜かれるまで、妨害磁界発生手段１０が妨害磁界を発生させる。
【００４０】
なお、カード挿入時において、妨害磁界発生手段１０は、たとえば、カード挿入口３にカード２が挿入されるまでの間は、間欠的に妨害磁界を発生させ、カード挿入口３にカード２が挿入されたことが挿入検知センサ（図示省略）によって検知されると、連続的に妨害磁界を発生させる。また、挿入されたカード２がカード挿入口３を通過してカードリーダ１の内部に取り込まれると、妨害磁界発生手段１０は、妨害磁界を停止させる。さらに、カード排出時において、妨害磁界発生手段１０は、たとえば、カード挿入口３をカード２が通過してカードリーダ１の内部から外部に向かって排出されるときは、連続的に妨害磁界を発生させ、カード挿入口３からカード２が取り去られたことが挿入検知センサによって検知されると、妨害磁界を間欠的に発生させる。
【００４１】
（本形態の主な効果）
以上説明したように、本形態では、コア１１の一端面１１ａおよび他端面１１ｂは、略手前側を向くように配置されており、コイル１２に交流電源が供給されると、磁力線ＭＬ１の向きが一端面１１ａから他端面１１ｂに向かう方向と他端面１１ｂから一端面１１ａに向かう方向とに周期的に変動する妨害磁界が発生する。また、本形態では、磁力線ＭＬ１は、左右方向において、カード２の挿入時に磁気ストライプ２ａが通過する位置を横切っている。そのため、本形態では、上述のように、左右方向における読取ヘッド８１とダミーヘッド８２との間隔が狭くても、読取ヘッド８１が配置される箇所での妨害磁界の強度とダミーヘッド８２が配置される箇所での妨害磁界の強度との差異が大きくなり、妨害磁界に起因する読取ヘッド８１の出力信号の振幅と妨害磁界に起因するダミーヘッド８２の出力信号の振幅とに大きな差異が生じる。したがって、本形態では、左右方向における読取ヘッド８１とダミーヘッド８２との間隔が狭い差動式のスキミング用磁気ヘッド８０が使用されても、読取ヘッド８１の出力信号とダミーヘッド８２の出力信号との差分から妨害磁界の影響を受けていない磁気データの読取信号を取得することが困難になり、その結果、差動式のスキミング用磁気ヘッド８０によるスキミングを阻止することが可能になる。
【００４２】
なお、たとえば、コア１１が棒状に形成されるとともに、コア１１の一端面が右側を向き、コア１１の他端面が左側を向いている場合であっても、磁気ストライプ２ａが通過する位置を左右方向において磁力線が横切るように妨害磁界を発生させることは可能である。しかしながら、この場合には、スキミング用磁気ヘッド８０が配置される位置での妨害磁界の磁束密度が低くなり、スキミング用磁気ヘッド８０に対して効果的に妨害磁界の影響を与えることは困難である。これに対して、本形態では、一端面１１ａおよび他端面１１ｂが手前側を向いているため、スキミング用磁気ヘッド８０が配置される位置での妨害磁界の磁束密度を高めることが可能になり、スキミング用磁気ヘッド８０に対して効果的に妨害磁界の影響を与えることが可能になる。
【００４３】
本形態では、一端面１１ａと他端面１１ｂとが共通の１個のコア１１に形成されている。そのため、本形態では、コイル１２が発生させる磁束の漏れを抑制することが可能になる。したがって、本形態では、スキミング用磁気ヘッド８０に対して効果的に妨害磁界の影響を与えることが可能になる。
【００４４】
（妨害磁界発生装置の変形例１）
図４は、本発明の他の実施の形態にかかる妨害磁界発生手段１０の構成を説明するための概略平面図である。図５は、図４に示す妨害磁界発生手段１０の構成を説明するための概略側面図である。
【００４５】
上述した形態では、妨害磁界発生手段１０は、１個のコア１１を備えているが、妨害磁界発生手段１０は、図４、図５に示すように、コア１１に加えて、磁性材料で形成されるコア２１を備えていても良い。この場合には、２個のコア１１、２１によってコア部２３が構成されている。また、コア２１には、ボビンを介して妨害磁界発生用コイルとしてのコイル２２が巻回されている。コア２１およびコイル２２は、中空状に形成されるカード挿入部４の内部に配置されている。また、コア２１およびコイル２２は、カード通過路６の下側に配置されている。すなわち、コア１１とコア２１とは、上下方向においてカード通過路６を挟むように配置されている。
【００４６】
コア２１は、コア１１と同形状に形成されている。すなわち、コア２１は、略Ｕ形状に形成されている。コア２１の一端面２１ａおよび他端面２１ｂは、略手前側を向くように配置されている。一端面２１ａおよび他端面２１ｂは、ＹＺ平面と略平行になっており、かつ、略同一平面上に配置されている。また、一端面２１ａおよび他端面２１ｂは、一端面１１ａおよび他端面１１ｂと略同一平面上に配置されている。また、図４に示すように、左右方向において、一端面２１ａは、一端面１１ａと他端面１１ｂとの間に配置され、他端面２１ｂは、他端面１１ｂよりも左側に配置されている。すなわち、一端面２１ａおよび他端面２１ｂは、左右方向において一端面１１ａおよび他端面１１ｂとずれた位置に配置されている。この変形例において、一端面２１ａは第３端面であり、他端面２１ｂは第４端面である。また、コア１１は第１コアであり、コア２１は第２コアである。
【００４７】
コイル２２は、コイル２２に電流を供給する交流電源回路に接続されている。コイル２２に交流電源が供給されると、磁力線ＭＬ２の向きが一端面２１ａおよび他端面２１ｂのいずれか一方から一端面２１ａおよび他端面２１ｂのいずれか他方へ向かう妨害磁界（以下、この妨害磁界を「第２の妨害磁界」とする。）が発生する。すなわち、コイル２２に交流電源が供給されると、妨害磁界発生手段１０は、磁力線ＭＬ２の向きが一端面２１ａおよび他端面２１ｂのいずれか一方から一端面２１ａおよび他端面２１ｂのいずれか他方へ向かう第２の妨害磁界を発生させる。具体的には、コイル２２に交流電源が供給されると、磁力線ＭＬ２の向きが一端面２１ａから他端面２１ｂに向かう方向と他端面２１ｂから一端面２１ａに向かう方向とに周期的に変動する第２の妨害磁界（交流磁界）が発生する。
【００４８】
第２の妨害磁界の磁力線ＭＬ２の、一端面２１ａおよび他端面２１ｂのいずれか一方から出ていく方向、および、一端面２１ａおよび他端面２１ｂのいずれか他方に入ってくる方向は、前後方向に対して略平行になっている。また、この変形例では、図４に示すように、コイル１２に交流電源が供給されることで生じる妨害磁界と、コイル２２に交流電源が供給されることで生じる第２の妨害磁界とが、カード挿入口３よりも手前側で重なっている。すなわち、この変形例では、コイル１２に交流電源が供給されることで生じる妨害磁界と、第２の妨害磁界とがカード挿入口３よりも手前側で重なるように、一端面１１ａ、２１ａおよび他端面１１ｂ、２１ｂが配置されている。また、この変形例では、コイル１２に交流電源が供給されることで生じる妨害磁界の周波数と第２の妨害磁界の周波数とが異なっている。あるいは、この変形例では、コイル１２に交流電源が供給されることで生じる妨害磁界の周波数と第２の妨害磁界の周波数とが同じになるとともに、コイル１２に交流電源が供給されることで生じる妨害磁界の位相と第２の妨害磁界の位相とがずれている。
【００４９】
この変形例では、読取ヘッド８１が配置される箇所での第２の妨害磁界の強度とダミーヘッド８２が配置される箇所での第２の妨害磁界の強度との差異を比較的大きくすることが可能になり、第２の妨害磁界に起因する読取ヘッド８１の出力信号の振幅と第２の妨害磁界に起因するダミーヘッド８２の出力信号の振幅とに比較的大きな差異を生じさせることが可能になる。また、この変形例では、読取ヘッド８１の出力信号は、カード２に記録された磁気データに応じた信号とコイル１２に交流電源が供給されることで生じる妨害磁界に応じた信号と第２の妨害磁界に応じた信号とが重畳された信号になり、ダミーヘッド８２の出力信号はコイル１２に交流電源が供給されることで生じる妨害磁界に応じた信号と第２の妨害磁界に応じた信号とが重畳された信号になるため、読取ヘッド８１の出力信号とダミーヘッド８２の出力信号との差分から妨害磁界および第２の妨害磁界の影響を受けていない磁気データの読取信号を取得することが一層困難になる。したがって、この変形例では、差動式のスキミング用磁気ヘッド８０によるスキミングを効果的に阻止することが可能になる。
【００５０】
特に、この変形例では、コイル１２に交流電源が供給されることで生じる妨害磁界の周波数と第２の妨害磁界の周波数とが異なっているか、あるいは、コイル１２に交流電源が供給されることで生じる妨害磁界の周波数と第２の妨害磁界の周波数とが同じになるとともに、コイル１２に交流電源が供給されることで生じる妨害磁界の位相と第２の妨害磁界の位相とがずれているため、読取ヘッド８１の出力信号とダミーヘッド８２の出力信号との差分から妨害磁界および第２の妨害磁界の影響を受けていない磁気データの読取信号を取得することがより一層困難になる。したがって、この変形例では、差動式のスキミング用磁気ヘッド８０によるスキミングをより効果的に阻止することが可能になる。
【００５１】
また、この変形例では、コア１１とコア２１とが、上下方向においてカード通過路６を挟むように配置されているため、たとえば、コア１１およびコア２１の両方がカード通過路６の上側または下側に配置されている場合と比較して、コア１１とスキミング用磁気ヘッド８０との距離、および、コア２１とスキミング用磁気ヘッド８０との距離の両方の距離を近づけることが可能になる。したがって、この変形例では、スキミング用磁気ヘッド８０に対して効果的に妨害磁界および第２の妨害磁界の影響を与えることが可能になる。
【００５２】
なお、この変形例において、コイル１２に交流電源が供給されることで生じる妨害磁界の周波数と第２の妨害磁界の周波数とが同じになるとともに、コイル１２に交流電源が供給されることで生じる妨害磁界の位相と第２の妨害磁界の位相とが一致していても良い。また、この変形例では、コア１１とコア２１とが上下方向においてカード通過路６を挟むように配置されているが、コア１１とコア２１とがカード通過路６の上側または下側に配置されても良い。さらに、この変形例では、図４に示すように、一端面２１ａと他端面２１ｂとが、左右方向において、磁気ストライプ２ａが通過する位置を挟むように配置されていないが、一端面２１ａと他端面２１ｂとが、左右方向において、磁気ストライプ２ａが通過する位置を挟むように配置されても良い。この場合には、たとえば、左右方向における一端面１１ａと他端面１１ｂとの間に他端面２１ｂが配置され、一端面１１ａよりも右側に一端面２１ａが配置される。
【００５３】
（妨害磁界発生装置の変形例２）
図６は、本発明の他の実施の形態にかかる妨害磁界発生手段１０の構成を説明するための概略平面図である。
【００５４】
図４、図５に示す変形例では、一端面１１ａおよび他端面１１ｂが形成されるコア１１と、一端面２１ａおよび他端面２１ｂが形成されるコア２１とが別体で形成されている。この他にもたとえば、図６に示すように、一端面１１ａに相当する第１端面３１ａと、他端面１１ｂに相当する第２端面３１ｂと、一端面２１ａに相当する第３端面３１ｃと、他端面２１ｂに相当する第４端面３１ｄとが共通の１個のコア３１に形成されても良い。この場合には、コア３１は、上下方向から見たときに前後方向を長手方向として配置される棒状の第１コア部分３１ｅ、第２コア部分３１ｆ、第３コア部分３１ｇ、第４コア部分３１ｈと、上下方向から見たときに左右方向を長手方向として配置され第１〜第４コア部分３１ｅ〜３１ｈの後端同士を繋ぐ棒状の連結コア部分３１ｊとから構成されている。また、この場合には、１個のコア３１によってコア部３３が構成されている。
【００５５】
第１コア部分３１ｅの前端面は、第１端面３１ａとなっており、第２コア部分３１ｆの前端面は、第２端面３１ｂとなっており、第３コア部分３１ｇの前端面は、第３端面３１ｃとなっており、第４コア部分３１ｈの前端面は、第４端面３１ｄとなっている。第１コア部分３１ｅおよび第２コア部分３１ｆには、妨害磁界発生用コイルとしてのコイル３４が巻回され、第３コア部分３１ｇおよび第４コア部分３１ｈには、妨害磁界発生用コイルとしてのコイル３５が巻回されている。コイル３４の、第１コア部分３１ｅに巻回される部分であるコイル部３４ａの巻回方向と、コイル３４の、第２コア部分３１ｆに巻回される部分であるコイル部３４ｂの巻回方向とは逆方向になっており、コイル３５の、第３コア部分３１ｇに巻回される部分であるコイル部３５ａの巻回方向と、コイル３５の、第４コア部分３１ｈに巻回される部分であるコイル部３５ｂの巻回方向とは逆方向になっている。コア３１およびコイル３４、３５は、カード通過路６の上側または下側に配置されている。
【００５６】
コイル３４は、コイル３４に電流を供給する交流電源回路に接続され、コイル３５は、コイル３５に電流を供給する交流電源回路に接続されている。コイル３４に交流電源が供給されると、上述した形態と同様に、磁力線ＭＬ１の向きが第１端面３１ａから第２端面３１ｂに向かう方向と第２端面３１ｂから第１端面３１ａに向かう方向とに周期的に変動する妨害磁界（交流磁界）が発生する。磁力線ＭＬ１は、左右方向において、カード２の挿入時に磁気ストライプ２ａが通過する位置を横切っている。また、コイル３５に交流電源が供給されると、図４、図５に示す変形例と同様に、磁力線ＭＬ２の向きが第３端面３１ｃから第４端面３１ｄに向かう方向と第４端面３１ｄから第３端面３１ｃ向かう方向とに周期的に変動する第２の妨害磁界（交流磁界）が発生する。また、コイル３４に交流電源が供給されることで生じる妨害磁界と、コイル３５に交流電源が供給されることで生じる第２の妨害磁界とが、カード挿入口３よりも手前側で重なっている。
【００５７】
そのため、この変形例においても、図４、図５に示す変形例と同様に、差動式のスキミング用磁気ヘッド８０によるスキミングを効果的に阻止することが可能になる。また、この変形例では、１個のコア３１にコイル３４、３５が巻回されているため、コイル３４、３５が発生させる磁束の漏れを抑制することが可能になり、その結果、スキミング用磁気ヘッド８０に対して妨害磁界の影響および第２の妨害磁界の影響を効果的に与えることが可能になる。また、この変形例では、１個のコア３１にコイル３４、３５が巻回されているため、妨害磁界発生手段１０の構成を簡素化することが可能になる。
【００５８】
なお、磁力線ＭＬ１の向きが第１端面３１ａから第２端面３１ｂに向かう方向と第２端面３１ｂから第１端面３１ａに向かう方向とに周期的に変動する妨害磁界が発生するのであれば、第１コア部分３１ｅと第２コア部分３１ｆとのそれぞれに２個のコイルのそれぞれが巻回され、２個のコイルのそれぞれに交流電源が接続されても良い。また、磁力線ＭＬ２の向きが第３端面３１ｃから第４端面３１ｄに向かう方向と第４端面３１ｄから第３端面３１ｃ向かう方向とに周期的に変動する第２の妨害磁界が発生するのであれば、第３コア部分３１ｇと第４コア部分３１ｈとのそれぞれに２個のコイルのそれぞれが巻回され、２個のコイルのそれぞれに交流電源が接続されても良い。
【００５９】
（妨害磁界発生装置の変形例３）
図７は、本発明の他の実施の形態にかかる妨害磁界発生手段１０の構成を説明するための概略平面図である。
【００６０】
図６に示すコア３１において、図７に示すように、第４コア部分３１ｈが形成されなくても良い。この場合には、第３コア部分３１ｇにコイル３５が巻回されており、コイル３５に交流電源が供給されると、磁力線ＭＬ３の向きが第３端面３１ｃに向かう方向と第３端面３１ｃから出ていく方向とに周期的に変動する妨害磁界（交流磁界）が発生する。コイル３４に交流電源が供給されることで生じる妨害磁界と、コイル３５に交流電源が供給されることで生じる妨害磁界とは、カード挿入口３の手前側で重なっている。そのため、この変形例においても、差動式のスキミング用磁気ヘッド８０によるスキミングを効果的に阻止することが可能になる。
【００６１】
（妨害磁界発生装置の変形例４）
図８は、本発明の他の実施の形態にかかる妨害磁界発生手段１０の構成を説明するための概略平面図である。図９は、図８に示す検出用コイル５２の出力信号を説明するための図であり、（Ａ）はカードリーダ１の前方にスキミング用磁気ヘッド８０が設置されていないときの検出用コイル５２の出力信号を示す図、（Ｂ）はカードリーダ１の前方にスキミング用磁気ヘッド８０が設置されたときの検出用コイル５２の出力信号を示す図である。
【００６２】
上述した形態において、妨害磁界発生装置１０は、コイル１２に交流電源が供給されることで生じる妨害磁界の変化を検出する検出用コイル５２を備えていても良い。この場合には、図８に示すように、コア１１は、上下方向から見たときに前後方向を長手方向として配置される棒状の第１コア部分１１ｄおよび第２コア部分１１ｅと、上下方向から見たときに左右方向を長手方向として配置され第１コア部分１１ｄおよび第２コア部分１１ｅの後端同士を繋ぐ棒状の連結コア部分１１ｆとから構成されている。第１コア部分１１ｄの前端面は、一端面１１ａとなっており、第２コア部分１１ｅの前端面は、他端面１１ｂとなっている。
【００６３】
コイル１２は、第１コア部分１１ｄに巻回されるコイル部１２ａと、第２コア部分１１ｅに巻回されるコイル部１２ｂとに分かれている。また、コイル１２は、コイル１２に電流を供給する交流電源回路５４に接続されている。検出用コイル５２は、連結コア部分１１ｆに巻回されている。すなわち、検出用コイル５２は、コア１１に巻回されている。検出用コイル５２は、連結コア部分１１ｆを通過する磁束の変化を検出する。また、検出用コイル５２は、検出回路５５に接続されており、検出回路５５には、検出用コイル５２の出力信号が入力される。なお、図８では、上述した形態と同様の構成について同一の符号を付している。
【００６４】
検出用コイル５２の出力信号は、たとえば、図９に示すように、妨害磁界の強度に応じた振幅で、かつ、妨害磁界の周期と同じ周期で正弦波状に変動する。また、カードリーダ１の前方にスキミング用磁気ヘッド８０が設置されると、妨害磁界が変化するため、検出用コイル５２の出力信号の振幅が変わる。たとえば、カードリーダ１の前方にスキミング用磁気ヘッド８０が設置されていないときに、図９（Ａ）に示すように小さな振幅であった検出用コイル５２の出力信号の振幅が、カードリーダ１の前方にスキミング用磁気ヘッド８０が設置されると、図９（Ｂ）に示すように大きな振幅に変わる。
【００６５】
すなわち、カードリーダ１の前方にスキミング用磁気ヘッド８０が設置されたときの検出用コイル５２の出力信号（図９（Ｂ）に示す出力信号）の振幅は、カードリーダ１の前方にスキミング用磁気ヘッド８０が設置されていないときの検出用コイル５２の出力信号（図９（Ａ）に示す出力信号）の振幅よりも大きくなる。そのため、検出回路５５は、検出用コイル５２の出力信号の振幅に基づいて、カードリーダ１の前方にスキミング用磁気ヘッド８０が設置されているのか否かを検出する。また、カードリーダ１では、前方にスキミング用磁気ヘッド８０が設置されていることが検出されると、上位装置にアラームを送信する等の所定の異常処理が実行される。
【００６６】
この変形例では、カードリーダ１の前方にスキミング用磁気ヘッド８０が設置されているのか否かが検出されるとともに、カードリーダ１の前方にスキミング用磁気ヘッド８０が設置されていることが検出されると、所定の異常処理が実行されるため、スキミング用磁気ヘッド８０によるスキミングを効果的に阻止することが可能になる。特に、この変形例では、スキミング用磁気ヘッド８０が設置されたのか否かを検出しているときにも妨害磁界を停止させる必要がないため、スキミング用磁気ヘッド８０によるスキミングをより効果的に阻止することが可能になる。また、この変形例では、コイル１２が巻回されるコア１１に検出用コイル５２が巻回されているため、コア１１に加えて、検出用コイル５２が巻回されるコアが別途設けられている場合と比較して、カードリーダ１を小型化することが可能になる。
【００６７】
（妨害磁界発生装置の変形例５）
図１０は、本発明の他の実施の形態にかかる妨害磁界発生手段１０の構成を説明するための概略平面図である。図１１は、図１０に示す検出用コイル６２の出力信号と検出用コイル６３の出力信号との差分信号を説明するための図であり、（Ａ）はカードリーダ１の前方にスキミング用磁気ヘッド８０が設置されていないときの差分信号を示す図、（Ｂ）はカードリーダ１の前方にスキミング用磁気ヘッド８０が設置されたときの差分信号を示す図である。
【００６８】
図６に示す変形例において、妨害磁界発生装置１０は、コイル３４に交流電源が供給されることで生じる妨害磁界の変化を検出する検出用コイル６２と、コイル３５に交流電源が供給されることで生じる第２の妨害磁界の変化を検出する第２の検出用コイルとしての検出用コイル６３とを備えていても良い。図１０に示すように、検出用コイル６２は、連結コア部分３１ｊの、第１コア部分３１ｅと第３コア部分３１ｇとの間の部分に巻回され、検出用コイル６３は、連結コア部分３１ｊの、第２コア部分３１ｆと第４コア部分３１ｈとの間の部分に巻回されている。すなわち、検出用コイル６２、６３は、コア３１に巻回されている。検出用コイル６２は、連結コア部分３１ｊの、第１コア部分３１ｅと第３コア部分３１ｇとの間の部分を通過する磁束の変化を検出し、検出用コイル６３は、連結コア部分３１ｊの、第２コア部分３１ｆと第４コア部分３１ｈとの間の部分を通過する磁束の変化を検出する。
【００６９】
また、検出用コイル６２と検出用コイル６３とは、直列に接続されている。すなわち、検出用コイル６２の一端と検出用コイル６３の一端とが接続されている。検出用コイル６２の巻回方向と検出用コイル６３の巻回方向とは逆方向になっている。また、検出用コイル６２の巻回数と検出用コイル６３の巻回数とは等しくなっている。検出用コイル６２、６３の他端は、検出回路６５に接続されており、検出回路６５には、検出用コイル６２の出力信号と検出用コイル６３の出力信号との差分である差分信号が入力される。なお、図１０では、図６に示す変形例と同様の構成について同一の符号を付している。
【００７０】
コイル３４は、コイル３４に電流を供給する交流電源回路６６に接続され、コイル３５は、コイル３５に電流を供給する交流電源回路６７に接続されている。コイル３４に交流電源が供給されると、磁力線ＭＬ１の向きが第１端面３１ａから第２端面３１ｂに向かう方向と第２端面３１ｂから第１端面３１ａに向かう方向とに周期的に変動する妨害磁界が発生する。また、コイル３５に交流電源が供給されると、磁力線ＭＬ２の向きが第３端面３１ｃから第４端面３１ｄに向かう方向と第４端面３１ｄから第３端面３１ｃ向かう方向とに周期的に変動する第２の妨害磁界が発生する。
【００７１】
この変形例では、妨害磁界の周波数と第２の妨害磁界の周波数とが等しくなっている。すなわち、妨害磁界の磁力線の向きの変動周期と第２の妨害磁界の磁力線の向きの変動周期とが等しくなっている。また、妨害磁界の位相と第２の妨害磁界の位相とが同じになっている。具体的には、磁力線ＭＬ１の向きが第１端面３１ａから第２端面３１ｂに向かう方向の妨害磁界が発生し始めるときに、磁力線ＭＬ２の向きが第３端面３１ｃから第４端面３１ｄに向かう方向の第２の妨害磁界が発生し始め、第２端面３１ｂから第１端面３１ａに向かう方向の妨害磁界が発生し始めるときに、磁力線ＭＬ２の向きが第４端面３１ｄから第３端面３１ｃに向かう方向の第２の妨害磁界が発生し始める。さらに、妨害磁界の強度（振幅）と第２の妨害磁界の強度（振幅）とが等しくなっている。
【００７２】
また、この変形例では、磁力線ＭＬ１はカード２の挿入時に磁気ストライプ２ａが通過する位置を横切るが、磁力線ＭＬ２はカード２の挿入時に磁気ストライプ２ａが通過する位置を横切らないように（すなわち、磁力線ＭＬ２はカード２の挿入時に磁気ストライプ２ａが通過する位置を避けた位置を通過するように）コア３１が配置されている。なお、この変形例では、コイル３４は交流電源回路６６に接続され、コイル３５は交流電源回路６７に接続されているが、コイル３４とコイル３５とは、共通の交流電源回路に接続されても良い。
【００７３】
この変形例では、検出用コイル６２の巻回方向と検出用コイル６３の巻回方向とは逆方向になっている。また、この変形例では、妨害磁界の周波数と第２の妨害磁界の周波数とが等しく、妨害磁界の位相と第２の妨害磁界の位相とが同じで、かつ、妨害磁界の強度と第２の妨害磁界の強度とが等しくなっており、妨害磁界と第２の妨害磁界とのバランスが取れている。そのため、カードリーダ１の前方にスキミング用磁気ヘッド８０が設置されていないときの、検出用コイル６２の出力信号と検出用コイル６３の出力信号との差分信号は、たとえば、図１１（Ａ）に示すように、妨害磁界および第２の妨害磁界の周期と同じ周期の、かつ、振幅の非常に小さな正弦波状の信号となる。あるいは、カードリーダ１の前方にスキミング用磁気ヘッド８０が設置されていないときには、検出用コイル６２の出力信号と検出用コイル６３の出力信号との差分信号は出力されない。
【００７４】
また、カードリーダ１の前方にスキミング用磁気ヘッド８０が設置されると、妨害磁界が変化して、妨害磁界と第２の妨害磁界とのバランスが崩れるため、差分信号の振幅が変わる。たとえば、カードリーダ１の前方にスキミング用磁気ヘッド８０が設置されると、差分信号の振幅は、図１１（Ｂ）に示すように大きな振幅に変わる。そのため、検出回路６５は、差分信号の振幅に基づいて、カードリーダ１の前方にスキミング用磁気ヘッド８０が設置されているのか否かを検出する。また、カードリーダ１では、前方にスキミング用磁気ヘッド８０が設置されていることが検出されると、上位装置にアラームを送信する等の所定の異常処理が実行される。
【００７５】
この変形例でも、図８に示す変形例と同様の効果を得ることができる。また、この変形例では、検出用コイル６２の巻回方向と検出用コイル６３の巻回方向とが逆方向になっているとともに、妨害磁界の周波数と第２の妨害磁界の周波数とが等しく、妨害磁界の位相と第２の妨害磁界の位相とが同じで、かつ、妨害磁界の強度と第２の妨害磁界の強度とが等しくなっており、妨害磁界と第２の妨害磁界とのバランスが取れているため、検出用コイル６２の出力信号と検出用コイル６３の出力信号との差分信号は、一定周期で変動する正弦波状の信号となる。また、妨害磁界発生手段１０の周囲温度が変動しても、カードリーダ１の前方にスキミング用磁気ヘッド８０が設置されていないときの差分信号の振幅を一定にすることが可能になるとともに小さくすることが可能になる。したがって、スキミング用磁気ヘッド８０がカードリーダ１の前方に設置されたのか否かを判別するための、差分信号の閾値を適切に設定することが可能になる。その結果、差分信号の振幅に基づいて、カードリーダ１の前方にスキミング用磁気ヘッド８０が設置されたのか否かを精度良く検出することが可能になる。
【００７６】
なお、この変形例において、検出用コイル６２の巻回方向と検出用コイル６３の巻回方向とが同じ方向になっていても良い。この場合には、磁力線ＭＬ１の向きが第１端面３１ａから第２端面３１ｂに向かう方向の妨害磁界が発生し始めるときに、磁力線ＭＬ２の向きが第４端面３１ｄから第３端面３１ｃに向かう方向の第２の妨害磁界が発生し始め、第２端面３１ｂから第１端面３１ａに向かう方向の妨害磁界が発生し始めるときに、磁力線ＭＬ２の向きが第３端面３１ｃから第４端面３１ｄに向かう方向の第２の妨害磁界が発生し始めるように、コイル３４、３５に電流が供給されれば良い。すなわち、この場合には、妨害磁界の位相と第２の妨害磁界の位相とが逆になっていれば良い。すなわち、この場合には、妨害磁界の位相と第２の妨害磁界の位相とが１８０°ずれていれば良い。
【００７７】
この場合であっても、検出用コイル６２の出力信号と検出用コイル６３の出力信号との差分信号は、一定周期で変動する正弦波状の信号となる。また、妨害磁界発生手段１０の周囲温度が変動しても、カードリーダ１の前方にスキミング用磁気ヘッド８０が設置されていないときの差分信号の振幅を一定にすることが可能になるとともに小さくすることが可能になる。また、本願発明者の検討によると、検出用コイル６２の巻回方向と検出用コイル６３の巻回方向とが逆方向になっており、かつ、妨害磁界の位相と第２の妨害磁界の位相とが同じになっている場合よりも、検出用コイル６２の巻回方向と検出用コイル６３の巻回方向とが同じ方向になっており、かつ、妨害磁界の位相と第２の妨害磁界の位相とが逆になっている場合の方が、検出コイル６２、６３による検出感度が高まる。そのため、この場合には、カードリーダ１の前方にスキミング用磁気ヘッド８０が設置されたのか否かをより精度良く検出することが可能になる。
【００７８】
また、この変形例において、検出用コイル６２と検出用コイル６３とが検出回路６５に並列に接続されても良い。この場合には、検出回路６５は、検出用コイル６２の出力信号と検出用コイル６３の出力信号との差分信号を生成する。また、この変形例において、検出用コイル６２または検出用コイル６３は、連結コア部分３１ｊの、第２コア部分３１ｆと第３コア部分３１ｇとの間の部分に巻回されても良い。また、この変形例において、妨害磁界の周波数と第２の妨害磁界の周波数とが異なっていても良いし、妨害磁界の位相と第２の妨害磁界の位相とが異なっていても良いし、妨害磁界の強度と第２の妨害磁界の強度とが異なっていても良い。また、この変形例において、磁力線ＭＬ２は、カード２の挿入時に磁気ストライプ２ａが通過する位置を横切っても良い。また、図４、図５に示す変形例において、妨害磁界発生装置１０は、コイル１２に交流電源が供給されることで生じる妨害磁界の変化を検出する検出用コイルと、コイル２２に交流電源が供給されることで生じる第２の妨害磁界の変化を検出する第２の検出用コイルとを備えていても良い。
【００７９】
（他の実施の形態）
上述した形態および変形例は、本発明の好適な形態の一例ではあるが、これに限定されるものではなく本発明の要旨を変更しない範囲において種々変形実施が可能である。
【００８０】
上述した形態では、コア１１の一端面１１ａおよび他端面１１ｂは、略同一平面上に配置されている。この他にもたとえば、一端面１１ａと他端面１１ｂとが前後方向においてずれた位置に配置されても良い。また、上述した形態では、一端面１１ａおよび他端面１１ｂは、ＹＺ平面と略平行になっているが、一端面１１ａおよび他端面１１ｂは、略手前側を向くように配置されているのであれば、図１２（Ａ）に示すように、左右方向の内側に向かうにしたがって後ろ側へ向かうようにＹＺ平面に対して傾斜していても良いし、図１２（Ｂ）に示すように、左右方向の外側に向かうにしたがって後ろ側へ向かうようにＹＺ平面に対して傾斜していても良い。この場合であっても、一端面１１ａおよび他端面１１ｂが略手前側を向いているため、コイル１２に交流電源が供給されると、磁力線ＭＬ１の向きが一端面１１ａから他端面１１ｂに向かう方向と他端面１１ｂから一端面１１ａに向かう方向とに周期的に変動する妨害磁界が発生し、磁力線ＭＬ１は、左右方向において、カード２の挿入時に磁気ストライプ２ａが通過する位置を横切る。
【００８１】
同様に、図４、図５に示すコア２１の一端面２１ａと他端面２１ｂとは、前後方向においてずれていても良い。また、一端面２１ａおよび他端面２１ｂは、略手前側を向くように配置されているのであれば、ＹＺ平面に対して傾斜していても良い。また、図６、図７、図１０に示す第１端面３１ａ、第２端面３１ｂ、第３端面３１ｃおよび第４端面３１ｄは、前後方向においてずれていても良い。また、第１端面３１ａ、第２端面３１ｂ、第３端面３１ｃおよび第４端面３１ｄは、略手前側を向くように配置されているのであれば、ＹＺ平面に対して傾斜していても良い。
【００８２】
上述した形態では、妨害磁界発生手段１０のコア部１３は、１個のコア１１によって構成されている。この他にもたとえば、図１２（Ｃ）に示すように、コア部１３は、上下方向から見たときに前後方向を長手方向として配置される棒状の２個のコア４１、４２によって構成されても良い。すなわち、コア１１に代えて、別体で形成される２個のコア４１、４２が配置されても良い。この場合には、コア４１、４２にコイル１２が巻回され、コイル１２の、コア４１に巻回される部分であるコイル部１２ａの巻回方向と、コイル１２の、コア４２に巻回される部分であるコイル部１２ｂの巻回方向とが逆方向になっている。また、コイル１２に交流電源が供給されると、磁力線ＭＬ１の向きがコア４１の前端面４１ａからコア４２の前端面４２ａに向かう方向と前端面４２ａから前端面４１ａに向かう方向とに周期的に変動する妨害磁界（交流磁界）が発生する。この場合には、前端面４１ａは、第１端面であり、前端面４２ａは、第２端面である。
【００８３】
同様に、図４、図５に示すコア２１に代えて、別体で形成される２個のコアが配置されても良い。また、図６に示すコア３１に代えて、別体で形成されコイル３４、３５が巻回される４個のコアが配置されても良いし、図７に示すコア３１に代えて、別体で形成されコイル３４、３５が巻回される３個のコアが配置されても良い。
【００８４】
図４、図５に示す変形例では、妨害磁界発生手段１０は、２個のコア１１、２１を備えているが、妨害磁界発生手段１０は、３個以上のコアを備えていても良い。また、図６に示す変形例では、コア３１は、対をなす第１コア部分３１ｅおよび第２コア部分３１ｆと、対をなす第３コア部分３１ｇおよび第４コア部分３１ｈとの２組のコア部分を備えているが、コア３１は、３組以上のコア部分を備えていても良い。
【００８５】
上述した形態では、カード２の裏面に磁気ストライプ２ａが形成されているが、カード２のおもて面に磁気ストライプ２ａが形成されても良いし、カード２の裏面とおもて面との両面に磁気ストライプ２ａが形成されても良い。また、上述した形態では、カードリーダ１は、駆動ローラ８およびパッドローラ９を備えるカード搬送式のカードリーダであるが、本発明の構成が適用されるカードリーダは、ユーザが手動でカード２を移動させながら、磁気データの読取りや記録を行う手動式のカードリーダであっても良い。たとえば、本発明の構成が適用されるカードリーダは、カードリーダ内へカード２を差し込む際、あるいは、カードリーダからカード２を引き抜く際に磁気データの読取りや記録を行ういわゆるディップ式のカードリーダであっても良い。
【符号の説明】
【００８６】
１  カードリーダ
２  カード
２ａ  磁気ストライプ
３  カード挿入口
４  カード挿入部
６  カード通過路
１０  妨害磁界発生手段
１１  コア（第１コア）
１１ａ  一端面（第１端面）
１１ｂ  他端面（第２端面）
１２、２２、３４、３５  コイル（妨害磁界発生用コイル）
１３、２３、３３  コア部
２１  コア（第２コア）
２１ａ  一端面（第３端面）
２１ｂ  他端面（第４端面）
３１、４１、４２  コア
３１ａ  第１端面
３１ｂ  第２端面
３１ｃ  第３端面
３１ｄ  第４端面
４１ａ  前端面（第１端面）
４２ａ  前端面（第２端面）
５２、６２  検出用コイル
６３  検出用コイル（第２の検出用コイル）
ＭＬ１  妨害磁界の磁力線
ＭＬ２  第２の妨害磁界の磁力線
Ｘ  カードの通過方向
Ｘ１  奥側（カードの挿入方向側）
Ｘ２  手前側（カードの排出方向側）
Ｙ  カードの幅方向
Ｚ  カードの厚さ方向
【図１】
2015133567.tif 000003
【図２】
2015133567.tif 000004
【図３】
2015133567.tif 000005
【図４】
2015133567.tif 000006
【図５】
2015133567.tif 000007
【図６】
2015133567.tif 000008
【図７】
2015133567.tif 000009
【図８】
2015133567.tif 000010
【図９】
2015133567.tif 000011
【図１０】
2015133567.tif 000012
【図１１】
2015133567.tif 000013
【図１２】
2015133567.tif 000014
【国際調査報告】
2015133567.tif 000015
2015133567.tif 000016
2015133567.tif 000017
2015133567.tif 000018